(57)【要約】【課題】使用者が指定した予告番組を蓄積し、後から再生することを可能にする放送番組蓄積装置を得る。【解決手段】放送番組蓄積装置１において、あらかじめ設定している好みの番組の番組選択属性に基づいて放送番組情報データに対して検索を実行し、その結果を予約情報記憶部１２に格納し、蓄積開示時刻になるとチューナ２を制御して選局を行い、予告番組記憶部９に予告番組を蓄積し、後から再生する手段を備える。このため、いつでも好みの番組の予告番組を見て、自分が見たい番組かどうかをより正確に見極めることが可能となる。【選択図】　　　　図１
2004015145.tif 000002
【特許請求の範囲】
【請求項１】
受信した放送信号に含まれる放送番組情報データを抽出する放送番組情報抽出手段と、
該放送番組情報抽出手段から出力される前記放送番組情報データを記憶する放送番組情報記憶手段と、
好みの番組の予告番組を探すための番組選択属性を記憶する予告番組情報記憶手段と、
前記放送番組情報記憶手段に記憶された前記放送番組情報データに対して前記予告番組情報記憶手段に記憶された前記番組選択属性を使って番組検索を行い、条件に合致する番組を抽出する予告番組抽出手段と、
蓄積予約している蓄積対象予告番組に関する予約番組情報データを記憶する予約情報記憶手段と、
前記予告番組情報記憶手段に記憶された蓄積予約を行う番組の番組識別子に基づいて前記放送番組情報記憶手段から抽出した前記予約番組情報データの格納を行う蓄積予約処理手段と、
前記予約番組情報データに基づいて蓄積対象予告番組の蓄積を行う予告番組蓄積手段と、
前記予告番組蓄積手段で蓄積された予告番組を要求に応じて再生する予告番組再生手段と
を有することを特徴とする放送番組蓄積装置。
【請求項２】
本編番組の蓄積終了時に、前記予告番組蓄積手段によって蓄積された前記本編番組の予告番組を自動的に消去する消去手段を更に有することを特徴とする請求項１に記載の放送番組蓄積装置。
【請求項３】
前記予告番組蓄積手段に蓄積する予告番組の放送番組情報データを格納する蓄積番組情報記憶部を更に有し、本編が同じである予告番組が既に前記予告番組蓄積手段に蓄積されていた場合、最新の予告番組を置換蓄積することを特徴とする請求項１に記載の放送番組蓄積装置。
【請求項４】
前記放送番組情報抽出手段に、受信した前記放送信号を送る複数のチューナを有し、前記予告番組蓄積手段が、前記放送番組情報抽出手段によって分離される複数のＴＳを同時に受けて蓄積することを特徴とする請求項１に記載の放送番組蓄積装置。
【請求項５】
前記再生手段或いは前記放送番組情報抽出手段から映像と音声のＴＳを入力してデコードする映像音声処理部と、該映像音声処理部でデコードされる番組の放送番組情報データを蓄積する視聴履歴情報記憶部とを更に有し、
該視聴履歴情報記憶部の放送番組情報データから前記番組選択属性を決定して前記予告番組情報記憶手段に格納することを特徴とする請求項１に記載の放送番組蓄積装置。
【請求項６】
放送信号を受信して該放送信号に含まれる放送番組情報データを抽出する放送番組情報抽出工程と、
該放送番組情報抽出工程において抽出された前記放送番組情報データを記憶する放送番組情報記憶工程と、
好みの番組の予告番組を探すための番組選択属性と、前記放送番組情報記憶工程で記憶された前記放送番組情報データから、該番組選択属性に合致する番組の番組識別子を記憶する予告番組情報記憶工程と、
前記番組識別子に合致する予約番組情報データを前記放送番組情報記憶工程で記憶した前記放送番組情報データから検索して記憶する予約番組情報記憶工程と、
該予約番組情報記憶工程で記憶された前記予約番組情報データに基づいて、前記放送信号に含まれる予約番組のＴＳを蓄積する予告番組蓄積工程と、
該予約番組蓄積工程で蓄積されたＴＳを再生する予告番組再生工程と
を有することを特徴とする放送番組蓄積方法。
【請求項７】
前記予告番組蓄積工程において、本編番組の蓄積終了時に、先に蓄積された該本編番組の予告番組を消去するようにしたことを特徴とする請求項６記載の放送番組蓄積方法。
【請求項８】
前記予告番組蓄積工程において、本編が同じ予告番組が既に蓄積されている場合、最新の予告番組を置換蓄積することを特徴とする請求項６に記載の放送番組蓄積方法。
【請求項９】
前記予告番組情報記憶工程において、視聴した履歴番組から前記番組選択属性を決定することを特徴とする請求項６記載の放送番組蓄積方法。
【発明の詳細な説明】
【０００１】
【発明の属する技術分野】
本発明は、放送番組蓄積装置及び蓄積方法に関し、特に使用者が指定した予告番組を蓄積し、後から再生することを可能にした放送番組蓄積装置に関するものである。
【０００２】
【従来の技術】
ディジタル放送受信機能が付いたテレビやディジタルＳＴＢ（Ｓｅｔ　Ｔｏｐ　Ｂｏｘ：独立型チューナやデコーダの総称）、ランダムアクセスが可能なハードディスクやＤＶＤを用いた録画機器（以下、ストレージ機器と称す）には、将来放送される番組の番組説明を表示できる機能が付加された製品がある。
【０００３】
一般にディジタル放送では、放送局から、チャンネル、放送日、放送開始時刻、放送時間、番組名、番組ジャンル、番組概要や番組を特定する番組識別子等が含まれる放送番組情報データが、放送番組の映像や音声と一緒に周期的に伝送される。
【０００４】
ディジタル放送蓄積機能が付いたテレビやディジタルＳＴＢ、或いはストレージ機器は、この放送番組情報データを内部に蓄積し、電子番組表（以下、ＥＰＧ（Ｅｌｅｃｔｒｏｎｉｃ　Ｐｒｏｇｒａｍ　Ｇｕｉｄｅ）と称す）を作成し表示することができる。さらに、ＥＰＧから特定の番組を選択し、放送番組情報データの１つである番組概要を表示させることも可能である。
【０００５】
【発明が解決しようとする課題】
上述した従来の技術に説明した番組概要表示機能では、放送局から送られてくる情報がテキスト形式であるため、新聞のテレビ欄に掲載されるのと同程度の情報量にすぎない。例えば、自然をテーマにした番組では、雄大な風景を文字情報で伝えるには限界があり、アクションシーンを売りにした番組では、その激しさまでは文字では伝えきれない。
【０００６】
テレビ番組の情報誌を入手すれば、写真入りのより詳細な情報を得られるが、それでも静止画レベルである。
【０００７】
動画の番組情報を視聴するには、例えば連続番組であれば、一般には番組の最後に、次回の番組の予告編が流されるため、これを見る必要がある。しかし、すでに前回の放送が終了していたならば、見ることができない。または、番組宣伝番組を視聴する方法もあるが、必ずしも使用者が期待する番組の宣伝がなされるとは限らない。
【０００８】
本発明は、上述のような課題を解決するためになされたもので、使用者が興味のある番組の予告番組を、いつでも見られることで、自分が見たい番組かどうかをより正確に見極めることができるようにすることを目的とする。
【０００９】
【課題を解決するための手段】
請求項１の放送番組蓄積装置は、
受信した放送信号に含まれる放送番組情報データを抽出する放送番組情報抽出手段と、該放送番組情報抽出手段から出力される前記放送番組情報データを記憶する放送番組情報記憶手段と、好みの番組の予告番組を探すための番組選択属性を記憶する予告番組情報記憶手段と、前記放送番組情報記憶手段に記憶された前記放送番組情報データに対して前記予告番組情報記憶手段に記憶された前記番組選択属性を使って番組検索を行い、条件に合致する番組を抽出する予告番組抽出手段と、蓄積予約している蓄積対象予告番組に関する予約番組情報データを記憶する予約情報記憶手段と、前記予告番組情報記憶手段に記憶された蓄積予約を行う番組の番組識別子に基づいて前記放送番組情報記憶手段から抽出した前記予約番組情報データの格納を行う蓄積予約処理手段と、前記予約番組情報データに基づいて蓄積対象予告番組の蓄積を行う予告番組蓄積手段と、前記予告番組蓄積手段で蓄積された予告番組を要求に応じて再生する予告番組再生手段と
を有することを特徴とする。
【００１０】
請求項２の放送番組蓄積装置は、請求項１に記載の放送番組蓄積装置において、
本編番組の蓄積終了時に、前記予告番組蓄積手段によって蓄積された前記本編番組の予告番組を自動的に消去する消去手段を更に有することを特徴とする。
さらに請求項３の放送番組蓄積装置は、請求項１に記載放送番組蓄積装置において、
前記予告番組蓄積手段に蓄積する予告番組の放送番組情報データを格納する蓄積番組情報記憶部を更に有し、本編が同じである予告番組が既に前記予告番組蓄積手段に蓄積されていた場合、最新の予告番組を置換蓄積することを特徴とする。
【００１１】
請求項４の放送番組蓄積装置は、請求項１に記載の放送番組蓄積装置において、
前記放送番組情報抽出手段に、受信した前記放送信号を送る複数のチューナを有し、前記予告番組蓄積手段が、前記放送番組情報抽出手段によって分離される複数のＴＳを同時に受けて蓄積することを特徴とする。
また、請求項５の放送番組蓄積装置は、請求項１に記載の放送番組蓄積装置において、
前記再生手段或いは前記放送番組情報抽出手段から映像と音声のＴＳを入力してデコードする映像音声処理部と、該映像音声処理部でデコードされる番組の放送番組情報データを蓄積する視聴履歴情報記憶部とを更に有し、
該視聴履歴情報記憶部の放送番組情報データから前記番組選択属性を決定して前記予告番組情報記憶手段に格納することを特徴とする。
【００１２】
請求項６の放送番組蓄積方法は、
放送信号を受信して該放送信号に含まれる放送番組情報データを抽出する放送番組情報抽出工程と、該放送番組情報抽出工程において抽出された前記放送番組情報データを記憶する放送番組情報記憶工程と、好みの番組の予告番組を探すための番組選択属性と、前記放送番組情報記憶工程で記憶された前記放送番組情報データから、該番組選択属性に合致する番組の番組識別子を記憶する予告番組情報記憶工程と、前記番組識別子に合致する予約番組情報データを前記放送番組情報記憶工程で記憶した前記放送番組情報データから検索して記憶する予約番組情報記憶工程と、該予約番組情報記憶工程で記憶された前記予約番組情報データに基づいて、前記放送信号に含まれる予約番組のＴＳを蓄積する予告番組蓄積工程と、該予約番組蓄積工程で蓄積されたＴＳを再生する予告番組再生工程と
を有することを特徴とする。
【００１３】
請求項７の放送番組蓄積方法は、請求項６記載の放送番組蓄積方法において、前記予告番組蓄積工程中、本編番組の蓄積終了時に、先に蓄積された該本編番組の予告番組を消去するようにしたことを特徴とする。
また、請求項８の放送番組蓄積方法は、請求項６に記載の放送番組蓄積方法において、
前記予告番組蓄積工程中、本編が同じ予告番組が既に蓄積されている場合、最新の予告番組を置換蓄積することを特徴とする。
さらに、請求項９の放送番組蓄積方法は、請求項６記載の放送番組蓄積方法において、前記予告番組情報記憶工程中、視聴した履歴番組から前記番組選択属性を決定することを特徴とする。
【００１４】
【発明の実施の形態】
以下、本発明の実施の形態を示す図面に基づいて、本発明の内容について具体的に説明する。なお、以下、放送番組蓄積装置としての蓄積手段としては、ディスク状記録媒体を用いた録画可能な光ディスク装置、パーソナルコンピュータ（パソコン）の周辺機器として用いられるハードディスク、或いは半導体メモリ等が想定される。
【００１５】
実施の形態１．
まず、本発明による実施の形態１の放送番組蓄積装置の内部構成を説明し、その後、処理の流れを詳細に説明する。
【００１６】
（放送番組蓄積装置１の内部機能構成について）
図１は、本発明による実施の形態１の放送番組蓄積装置１の内部構成を示すブロック図である。
【００１７】
同図中、チューナ２は、ディジタル放送メディアに応じて、ＣＳ用チューナ、ＢＳ用チューナ、地上波用チューナ、或いはＣＡＴＶ用チューナ等が該当する。多重信号分離部３は、チューナ２から入力した映像／音声、番組情報等をそれぞれパケット化して多重化したトランスポートストリーム（以下、ＴＳ（Ｔｒａｎｓｐｏｒｔ　Ｓｔｒｅａｍ）と称す）を形成し、更にこのＴＳを映像音声、番組情報等の内容別に分離する。なお、ここでの多重信号分離部３の動作が放送番組情報抽出工程に相当する。
【００１８】
番組情報処理部４は、多重信号分離部３から放送番組情報データを入力し、放送番組情報記憶手段としての番組情報記憶部１０に保存する（放送番組情報記憶工程に相当）と共に、放送番組情報データが更新され場合、データ更新があった旨の更新通知を予告番組抽出手段に相当する予告番組処理部５へ出力する。尚、多重信号分離部３及び番組情報処理部４は、放送番組情報抽出手段に相当する。
【００１９】
番組情報記憶部１０は、番組情報処理部４から渡されたチャンネル、放送日、放送開始時刻、放送時間、番組名、番組ジャンル、番組概要及び番組を特定する番組識別子等の放送番組情報データを格納し、予告番組処理部５からの要求に応じて格納した放送番組情報データを予告番組処理部５に出力する。使用者入力部１４は、図示しない、遠隔操作装置（リモコン）や放送番組蓄積装置１の操作パネルに相当し、使用者の操作によって入力した内容を、予告番組処理部５へ出力する。
【００２０】
予告番組処理部５は、使用者入力部１４から、蓄積する予告番組を選択する旨の選択要求を入力すると、これに応じて画像表示制御部１３に設定画面を出力する。そして、画像表示制御部１３から図示しないテレビに出力された設定画面に基づいて使用者が番組選択操作を行なうと、使用者入力部１４から入力する、番組のジャンルや出演者等の番組選択属性を解釈し、番組情報記憶部１０に格納された最新の放送番組情報データに対して検索を行う。
【００２１】
検索の結果、該当する番組が見つかった場合は、その番組を特定する番組識別子を予告番組情報記憶手段に相当する予告番組情報記憶部１１に格納すると共に、該当する番組が見つかったことを蓄積予約処理部６に通知する。また、検索の結果に拘わらず、使用者入力部１４から入力された番組選択属性も予告番組情報記憶部１１に格納する。尚、予告番組情報記憶部１１における番組選択属性と、それに合致する番組の番組識別子の保存が予告番組情報記憶工程に相当する。
【００２２】
更に、予告番組処理部５は、番組情報処理部４から前記した放送番組情報データの更新通知を入力すると、予告番組情報記憶部１１に格納されている番組選択属性に基づいて、番組情報記憶部１０に格納された最新の放送番組情報データに対して検索を行い、検索の結果、該当する番組が見つかった場合には、その番組の番組識別子を予告番組情報記憶部１１に格納し、該当する番組が見つかったことを蓄積予約処理部６に通知する。このようにして、常に新しいデータによる更新が行われる。
【００２３】
予告番組情報記憶部１１は、上記したように予告番組処理部５から渡された番組選択属性と番組識別子を格納し、蓄積予約処理部６からの要求によってこれを出力する。
【００２４】
蓄積予約処理部６は、予告番組情報記憶部１１から蓄積予約を行う番組の番組識別子を入力し、その番組識別子に合致する予約番組情報データとしての放送番組情報データを番組情報記憶部１０から取り出して、予約情報記憶手段に相当する予約情報記憶部１２に保存する。尚、予約情報記憶部１２における予約番組情報データの保存が予約番組情報記憶工程に相当し、蓄積予約処理部６が蓄積予約処理手段に相当する。更に、蓄積予約処理部６は、蓄積予約開始時刻になったらチューナ２に対して選局指令を行うと共に、蓄積制御部８へ蓄積開始を要求する機能を有する。
【００２５】
予約情報記憶部１２は、上記したように蓄積予約処理部６から渡された蓄積予約を行う放送番組の、番組のチャンネル、放送日、放送開始時刻、放送時間、番組名、番組ジャンル、番組概要や番組を特定する番組識別子等の放送番組情報データを格納し、蓄積予約処理部６からの要求によってこれらの放送番組情データを引き出す。
【００２６】
蓄積制御部８は、上記したように蓄積予約処理部６からの指示に基づいて、蓄積部７の蓄積動作を指示する蓄積開始／終了指令を出してこれを制御する。蓄積部７は、多重信号分離部３から送られてきた映像や音声、番組情報等のＴＳを、前記した蓄積制御部８から入力する蓄積開始／終了の各指令に従って、予告番組記憶部９に蓄積する。
【００２７】
予告番組記憶部９は、上記したように蓄積部７から渡された映像や音声、番組情報等のＴＳを、ハードディスクやＤＶＤ等のメディアに格納し、再生部１５からの要求によってこれらのデータを引き出す。尚、予告番組記憶部９における予告番組の蓄積が予告番組蓄積工程に相当し、蓄積部７、蓄積制御部８及び予告番組記憶部９が予告番組蓄積手段に相当する。
【００２８】
映像音声処理部１６は、多重信号分離部３や再生部１５から送られてきた映像と音声のＴＳを、デコードしてアナログ信号に変換する。画像表示制御部１３は、予告番組処理部５から入力するデータをもとに前記した設定画面のグラフィックスデータを生成し、映像音声処理部１６から送られてきた映像に重畳した映像出力信号を図示しないテレビ等のディスプレイに出力する。
【００２９】
再生部１５は、使用者入力部１４から、蓄積された予告番組を再生する旨の再生要求を入力すると、後述する様にこれに応じて画像表示制御部１３に設定画面を出力する。そして、画像表示制御部１３から図示しないテレビに出力された設定画面に基づいて使用者が番組選択操作を行なうと、使用者入力部１４から入力する選択番組を解釈し、予告番組記憶部９に格納された該当する予告番組の映像と音声のＴＳを取り出し、映像音声処理部１６へ渡す。尚、これらの動作が予告番組再生工程に相当し、再生部１５が予告番組再生手段に相当する。
【００３０】
以上の放送番組蓄積装置１の構成において、その動作について以下に説明する。
【００３１】
（放送番組蓄積装置１の処理の流れについて）
多重信号分離部３によって、チューナ２から入力した映像／音声、番組情報等を多重化して形成されたＴＳは、更に、映像／音声、番組情報等の内容別に分離され、このうちの番組情報が番組情報処理部４へ送られる。この番組情報処理部４では、予告番組を検索するために必要な全ての放送番組情報データが番組情報記憶部１０の容量が許す範囲で格納されるように処理を行う。
【００３２】
使用者が、使用者入力部１４を操作して予告番組の選択を要求すると、この使用者入力部１４から予告番組処理部５へ予告番組設定画面を表示する旨の指令が与えられる。予告番組処理部５は、この指令を受けて、予告番組情報記憶部１１に格納されている番組選択属性を画像表示制御部１３に出力する。
尚、工場出荷時は、決められた番組選択属性が予告番組情報記憶部１１に格納されているものとし、使用者が設定した番組選択属性は、電源を切っても保持される。
【００３３】
次に、画像表示制御部１３は、予告番組設定画面をテレビにグラフィックス表示するが、その際に、予告番組処理部５から入力した番組選択属性を予告番組設定画面のデフォルト項目として使用する。
【００３４】
使用者が予告番組設定画面から好みの番組、または好みのジャンル等の番組選択属性を設定すると、予告番組処理部５は、使用者入力部１４から送られてきたデータからどのような番組選択属性が設定されたかを認識し、この番組選択属性を予告番組情報記憶部１１へ出力して保持する。そして、番組情報記憶部１０に格納された最新の放送番組情報データを取り出し、上述の番組選択属性を検索キーにして検索を行う。
【００３５】
この予告番組検索で該当した番組の番組名等の番組情報は、画像表示制御部１３に出力されてテレビにグラフィックス表示され、その番組識別子は予告番組情報記憶部１１に格納されると共に該当する番組が見つかったこが蓄積予約処理部６へ通知される。一方、この検索で該当する番組がなかった場合は、その旨、画像表示制御部１３に出力され、テレビにグラフィックス表示されるに留まる。
【００３６】
予告番組検索で該当する番組が検出され、その検出が通知された蓄積予約処理部６は、予告番組情報記憶部１１から蓄積予約を行う番組の番組識別子を入力し、その番組識別子に合致する放送番組情報データを番組情報記憶部１０から取り出して、予約情報記憶部１２に保存する。そして、格納された予約番組の蓄積開始時刻になると、チューナ２に対して選局指令を出すと共に、蓄積制御部８へ蓄積開始を要求する。この要求に基づいて、蓄積制御部８は蓄積部７に蓄積指令を出し、蓄積部７はこの蓄積指令を受けて多重信号分離部３から送られてきたＴＳを予告番組記憶部９に蓄積する。
【００３７】
使用者が予告番組選択画面の表示を要求すると、その要求は使用者入力部１４から再生部１５へ通知され、それを受けて再生部１５は予告番組記憶部９に蓄積されている予告番組の番組情報データを取り出し、蓄積されている予告番組一覧画面を作成して、画像表示制御部１３に渡し、図示しないテレビに出力する。
【００３８】
使用者が、表示された画面から所望の番組を選択して再生を要求すると、再生部１５が予告番組記憶部９から該当する予告番組の映像と音声のＴＳを取り出し、映像音声処理部１６へ渡す。映像音声処理部１６は、ＴＳをデコードしてアナログ信号に変換し、画像表示制御部１３で必要に応じてグラフィックスデータを重畳して図示しないテレビ等のディスプレイに出力する。
【００３９】
以上のように、実施の形態１の放送番組蓄積装置１によれば、使用者が指定した番組の予告番組が自動的に蓄積されるため、いつでも視聴することが可能となる。
【００４０】
実施の形態２．
図２は、本発明による実施の形態２の放送番組蓄積装置２１の内部構成を示すブロック図である。
【００４１】
この放送番組蓄積装置２１が、図１に示す実施の形態１の放送番組蓄積装置１００と構成的に異なる点は、消去予約処理部２３と消去情報記憶部２２が新たに追加された点である。従って、実施の形態１の放送番組蓄積装置１と同一或いはそれに相当する構成要素には同符号を付して説明を省略し、異なる点を重点的に説明する。
【００４２】
予告番組処理部５は、蓄積を行う番組を特定する番組識別子を予告番組情報記憶部１１に格納すると同時に、その番組識別子を消去予約処理部２３へ通知する。消去予約処理部２３は、通知された番組識別子に合致する放送番組情報データを番組情報記憶部１０から取り出す。その放送番組情報データから本編番組の番組識別子を抽出し、次に、この番組識別子に合致する放送番組情報データを番組情報記憶部１０から取り出す。
【００４３】
この放送番組情報データから、本編番組の番組終了時刻を算出する。番組情報記憶部１０から取り出した予告番組の放送番組情報データと、上記した本編番組の番組終了時刻を消去情報記憶部２２に格納する。消去予約処理部２３は、本編番組の番組終了時刻になったら、蓄積制御部８へ予告番組記憶部９に蓄積されている予告番組の消去を要求する。尚、消去予約処理部２３と消去情報記憶部２２とが消去手段に相当する。
【００４４】
この要求に基づいて、蓄積制御部８は蓄積部７に消去指令を出し、蓄積部７はこの消去指令を受けて該当する予告番組を消去する。
【００４５】
以上のような実施の形態２の放送番組蓄積装置２１によれば、既に本編番組の放送が終了している予告番組を残さずに済むため、使用者に無駄な予告番組の視聴を促す恐れがなくなり、記憶媒体の節約にもつながる。
【００４６】
実施の形態３．
図３は、本発明による実施の形態３の放送番組蓄積装置３１の内部構成を示すブロック図である。
【００４７】
この放送番組蓄積装置３１が、図１に示す実施の形態１の放送番組蓄積装置１と構成的に異なる点は、蓄積番組情報記憶部３２が新たに追加された点である。従って、実施の形態１の放送番組蓄積装置１と同一或いはそれに相当する構成要素には同符号を付して説明を省略し、異なる点を重点的に説明する。
【００４８】
蓄積部７は、多重信号分離部３から送られてきた映像や音声、番組情報等のＴＳを、蓄積制御部８の蓄積開始指令に従って、予告番組記憶部９に蓄積する。このときＴＳから取り出した予告番組の放送番組情報データを蓄積番組情報記憶部３２に格納しておく。
【００４９】
蓄積制御部８から蓄積開始指令を受け、多重信号分離部３からのＴＳを予告番組記憶部９に蓄積する前に、その番組の放送番組情報データを抽出して、その中にある本編番組の番組識別子が、蓄積番組情報記憶部３２に格納されている放送番組情報データ内の本編番組の番組識別子と一致するものがないかを調べる。一致するものがなければ、そのＴＳを予告番組記憶部９に蓄積するとともに、ＴＳから取り出した予告番組の放送番組情報データを蓄積番組情報記憶部３２に格納する。
【００５０】
一致するものが存在したときは、すでに予告番組記憶部９に蓄積されている当該予告番組に上書きする形式で、そのＴＳを予告番組記憶部９に蓄積するとともに、ＴＳから取り出した予告番組の放送番組情報データを、すでに蓄積番組情報記憶部３２に格納されている当該放送番組情報データと置き換える。
【００５１】
以上のような実施の形態３の放送番組蓄積装置３１によれば、常に最新の予告番組を視聴でき、繰り返し放送される同じ内容の複数の予告番組をすべて蓄積することなく上書きできるために、記憶媒体の節約にもつながる。
【００５２】
実施の形態４．
図４は、本発明による実施の形態４の放送番組蓄積装置４１の内部構成を示すブロック図である。
【００５３】
この放送番組蓄積装置４１が、図１に示す実施の形態１の放送番組蓄積装置１と構成的に異なる点は、チューナ４２が新たに追加された点である。従って、実施の形態１の放送番組蓄積装置１と同一或いはそれに相当する構成要素には同符号を付して説明を省略し、異なる点を重点的に説明する。
【００５４】
多重信号分離部３は、チューナ２に加えて、チューナ４２から入力した映像／音声、番組情報等に基づくＴＳを形成して分離処理する能力を有する。蓄積予約処理部６は、蓄積予約開始時刻になったら各チューナ２，４２に対して選局指令を出すが、一方のチューナがすでに占有されていたときは、他方のチューナに選局指令を出すように制御する。蓄積部７は、多重信号分離部３からの複数のＴＳを同時に受けて予告番組記憶部９に蓄積する能力を有する。
【００５５】
以上のような実施の形態４の放送番組蓄積装置４１によれば、予告番組の蓄積予約の時間が重なった場合でも、両方を蓄積することが可能になり、蓄積確度を向上することができる。
【００５６】
実施の形態５．
図５は、本発明による実施の形態５の放送番組蓄積装置５１の内部構成を示すブロック図である。
【００５７】
この放送番組蓄積装置５１が、図１に示す実施の形態１の放送番組蓄積装置１と構成的に異なる点は、視聴履歴情報記憶部５２が新たに追加された点である。従って、実施の形態１の放送番組蓄積装置１と同一、或いはそれに相当する構成要素には同符号を付して説明を省略し、異なる点を重点的に説明する。
【００５８】
映像音声処理部１６は、多重信号分離部３から映像と音声のＴＳを入力する。これらのＴＳの識別子であるパケットＩＤを元に、番組情報記憶部１０に格納された放送番組情報データを検索すると、これからデコードされるこの番組の放送番組情報データを入手することができる。これを、視聴履歴情報記憶部５２に格納する。予告番組処理部５は、使用者入力部１４から入力される蓄積する予告番組の番組選択属性の代わりに、視聴履歴情報記憶部５２に格納された番組情報から抽出した番組ジャンル等の番組属性を元に、番組選択属性を決定する。
【００５９】
以上のような実施の形態５の放送番組蓄積装置によれば、使用者の好みの番組を自動的に学習するため、使用者が番組選択操作をすることなく好みの予告番組を蓄積することが可能となり、操作の手間を省くことができる。
【００６０】
【発明の効果】
請求項１又は６の放送番組蓄積装置又は方法によれば、使用者が指定した番組の予告番組が自動的に蓄積され、いつでも視聴することができるために、新聞のテレビ欄に掲載される文字情報よりもはるかに多くの情報が入手でき、自分が見たい番組かどうかをより正確に見極めることが可能となる。さらに、予告番組をより多くの人に視聴してもらえる可能性が高まるために、本編番組の視聴率向上にもつながり、視聴者だけでなく放送局にとってもメリットがある。
【００６１】
請求項２又は７の放送番組蓄積装置又は方法によれば、既に本編番組の放送が終了している予告番組を残さずに済むため、使用者に無駄な予告番組の視聴を促す恐れがなくなり、記憶媒体の節約にもつながる。
【００６２】
請求項３又は８の放送番組蓄積装置又は方法によれば、常に最新の予告番組を視聴でき、繰り返し放送される同じ内容の複数の予告番組を蓄積することがなくなるために、記憶媒体の節約にもつながる。
【００６３】
請求項４に記載の放送番組蓄積装置によれば、予告番組の蓄積予約の時間が重なった場合でも、両方を蓄積することが可能になり、蓄積確度が向上する。
【００６４】
請求項５又は９の放送番組蓄積装置又は方法によれば、使用者の好みの番組を自動的に学習し、番組選択操作をすることなく蓄積されるため、操作の手間が省ける。
【図面の簡単な説明】
【図１】本発明による実施の形態１の放送番組蓄積装置１の内部構成を示すブロック図である。
【図２】本発明による実施の形態２の放送番組蓄積装置２１の内部構成を示すブロック図である。
【図３】本発明による実施の形態３の放送番組蓄積装置３１の内部構成を示すブロック図である。
【図４】本発明による実施の形態４の放送番組蓄積装置４１の内部構成を示すブロック図である。
【図５】本発明による実施の形態５の放送番組蓄積装置５１の内部構成を示すブロック図である。
【符号の説明】
１　放送番組蓄積装置、　２　チューナ、　３　多重信号分離部、　４　番組情報処理部、　５　予告番組処理部、　６　蓄積予約処理部、　７　蓄積部、　８　蓄積制御部、　９　予告番組記憶部、　１０　番組情報記憶部、　１１　予告番組情報記憶部、　１２　予約情報記憶部、　１３　画像表示制御部、　１４使用者入力部、　１５　再生部、　１６　映像音声処理部、　２１　放送番組蓄積装置、　２２　消去情報記憶部、　２３　消去予約処理部、　３１　放送番組蓄積装置、　３２　蓄積番組情報記憶部、　４１　放送番組蓄積装置、　４２チューナ、　５１　放送番組蓄積装置、　５２　視聴履歴情報記憶部。
【図１】
2004015145.tif 000003
【図２】
2004015145.tif 000004
【図３】
2004015145.tif 000005
【図４】
2004015145.tif 000006
【図５】
2004015145.tif 000007